(57)【要約】【課題】ロータのアーム部の小型、軽量化が可能になると共に、アーム部の内部の構成部品を簡略化した魚釣用スピニングリールを提供する。【解決手段】ロータのアーム部３ａに、振分け付勢バネ３５の付勢力によって釣糸巻き取り位置と釣糸放出位置に反転可能に支持された支持部材９と、支持部材が釣糸放出位置に反転したときに連動する作動部材４０と、リール本体に設けられ、支持部材９が釣糸放出位置にある状態でロータを釣糸巻き取り方向に回転したときに作動部材４０が当接可能な当接部２Ａと、アーム部３ａ内に揺動可能に支持され、支持部材９に連結される連結部材３３及び振分け付勢バネ３５の少なくとも一部を収容した揺動部材３１とを有する。作動部材４０は、支持部材９が釣糸放出位置に反転した際、揺動部材３１の揺動に伴って一端側がリール本体側に移動して当接部２Ａに当接可能な位置に臨むよう他端側が揺動部材３１に回転可能に連結されている。【選択図】図３
2009142225.tif 000002
【特許請求の範囲】
【請求項１】
リール本体に回転可能に支持されたロータのアーム部に、振分け付勢バネの付勢力によって釣糸巻き取り位置と釣糸放出位置に反転可能に支持された支持部材と、
前記支持部材が釣糸放出位置に反転したときに連動する作動部材と、
前記リール本体に設けられ、前記支持部材が釣糸放出位置にある状態でロータを釣糸巻き取り方向に回転したときに前記作動部材が当接可能な当接部と、
前記アーム部内に揺動可能に支持され、前記支持部材に連結される連結部材及び前記振分け付勢バネの少なくとも一部を収容した揺動部材と、
を有する魚釣用スピニングリールであって、
前記作動部材は、前記支持部材が釣糸放出位置に反転した際、前記揺動部材の揺動に伴って一端側がリール本体側に移動して前記当接部に当接可能な位置に臨むよう、他端側が前記揺動部材に回転可能に連結されていることを特徴とする魚釣用スピニングリール。
【請求項２】
前記アーム部内に、前記作動部材の一端側がリール本体側に移動した際、その移動を案内する案内部を形成したことを特徴とする請求項１に記載の魚釣用スピニングリール。
【発明の詳細な説明】
【技術分野】
【０００１】
本発明は、ハンドル操作で連動回転するロータのアーム部の前部にラインローラを有する支持部材を反転可能に支持した魚釣用スピニングリールに関する。
【背景技術】
【０００２】
通常、魚釣用スピニングリールは、ロータのアーム部の前部にラインローラを有する支持部材を釣糸巻き取り位置と釣糸放出位置との間で反転可能に支持すると共に、釣糸放出位置にある支持部材を、ハンドルの回転操作により、釣糸巻き取り位置に自動復帰させる反転復帰機構を備えている。
【０００３】
反転復帰される支持部材は、例えば、特許文献１に開示されているように、ロータのアーム部内に設けられた振分け付勢バネ機構に連結されて釣糸巻き取り位置と釣糸放出位置に振分け付勢保持されている。また、支持部材を釣糸巻き取り位置から釣糸放出位置へ反転操作した際、それに連動する作動部材を、リール本体の前部に設けた反転用カムに当接可能な位置に回動させ、ハンドルの巻き取り操作によるロータの回転により、作動部材を反転用カムに当接せしめ、支持部材を釣糸巻き取り位置に自動復帰させるよう構成されている。
【０００４】
具体的には、上記した反転復帰機構は、振分け付勢バネを一方に収容し、アーム部の底部に回動可能に支持された揺動部材と、この揺動部材の他方に係合してロータ回転平面と平行な面内で揺動してリール本体前部に設けた反転用カムに当接可能な作動部材（キック部材）とを、一方のロータのアーム部内に装着した構成となっている。
【特許文献１】特開２０００−４１５５１号
【発明の開示】
【発明が解決しようとする課題】
【０００５】
上記した従来の反転復帰機構では、ロータのアーム部の後端部において、作動部材をロータ回転平面と平行な面内で揺動可能に支持する構成のため、アーム部の後部にその分のスペースが必要になってしまい、これによりアーム部が大型化すると共に、作動部材を抜け止めするネジ等も必要となり、重量化してしまう。
【０００６】
また、部品点数も多くなり、揺動部材及び作動部材が、アーム部の異なる部位に装着されることにより、製造段階での組み込み性も悪く、コスト高になる等の問題がある。
【０００７】
本発明は、上記した問題に基づいてなされたものであり、ロータのアーム部の小型、軽量化が可能になると共に、アーム部の内部の構成部品を簡略化した魚釣用スピニングリールを提供することを目的とする。
【課題を解決するための手段】
【０００８】
上記した目的を達成するために、本発明に係る魚釣用スピニングリールは、リール本体に回転可能に支持されたロータのアーム部に、振分け付勢バネの付勢力によって釣糸巻き取り位置と釣糸放出位置に反転可能に支持された支持部材と、前記支持部材が釣糸放出位置に反転したときに連動する作動部材と、前記リール本体に設けられ、前記支持部材が釣糸放出位置にある状態でロータを釣糸巻き取り方向に回転したときに前記作動部材が当接可能な当接部と、前記アーム部内に揺動可能に支持され、前記支持部材に連結される連結部材及び前記振分け付勢バネの少なくとも一部を収容した揺動部材と、を有しており、前記作動部材は、前記支持部材が釣糸放出位置に反転した際、前記揺動部材の揺動に伴って一端側がリール本体側に移動して前記当接部に当接可能な位置に臨むよう、他端側が前記揺動部材に回転可能に連結されていることを特徴とする。
【０００９】
上記した構成によれば、支持部材を釣糸放出位置に反転させた際、リール本体側に設けられた当接部に当接可能な位置に移動する作動部材は、揺動部材の揺動に伴って、リール本体側に移動できるように揺動部材に回転可能に連結されている。作動部材は、他端側が揺動部材に回転可能に支持されて、支持部材が釣糸放出位置へ反転した際に一端側がリール本体に向けて移動するだけであるため、アーム部に作動部材をロータの回転平面と平行な面内に回動可能に支持する部分が不要となり、アーム部の小型、軽量化が図れる。しかも作動部材の他端側を揺動部材に回転可能に連結するだけで良いため、部品点数の削減、及び組み込み作業性の向上が図れる。
【発明の効果】
【００１０】
本発明によれば、ロータのアーム部の小型、軽量化が可能になると共に、アーム部の内部の構成部品を簡略化した魚釣用スピニングリールが得られる。
【発明を実施するための最良の形態】
【００１１】
図１から図４は、本発明に係る魚釣用スピニングリールの一実施形態を示す図であり、図１は、魚釣用スピニングリールの内部構成を示す側面図、図２は、図１の主要部であるロータのアーム部の内部構成を示す図、図３は、支持部材を釣糸巻き取り位置に反転させた状態を示す図、そして、図４は、支持部材を釣糸放出位置に反転させた状態を示す図である。
【００１２】
本実施形態に係る魚釣用スピニングリール１は、釣竿に装着するための脚部２ａが形成されたリール本体（例えば、アルミ、樹脂等によって構成される）２と、リール本体前方に回転可能に配された円筒状のロータ３と、ロータ３の回転運動と同期して前後動可能に配されたスプール５と、ロータを回転駆動すると共に、スプールを前後動させるように、リール本体２に回転可能に支持されたハンドル６とを有している。
【００１３】
前記ロータ３には、略１８０°間隔で一対のアーム部（ロータアーム部）３ａが形成されており、夫々の前端部には、釣糸をピックアップするベール７の基端部を取り付けた支持部材９が支持部１０を介してアーム部３ａの支軸３Ｓに回動可能に支持されて、ネジＳで抜け止めされている。この場合、アーム部３ａに対して回動可能に支持される支持部材９は、図３に示す釣糸巻き取り位置と図４に示す釣糸放出位置との間で、後述する振分け付勢バネによって、振分け保持されるよう構成されている。また、前記ベール７の一方の基端部は、スプール５に釣糸を案内する釣糸案内部を構成するラインローラ１２を備えた支持部材９に一体的に設けられている。
【００１４】
なお、リールのタイプによっては、支持部材９には、ベール７が支持されない構成であっても良い。
【００１５】
前記リール本体２内には、ハンドル６を装着したハンドル軸６ａが回転可能に支持されており、このハンドル軸６ａには、上記したようにロータ３を回転駆動すると共に、スプール５を前後往復駆動する公知の駆動機構１５が係合している。
【００１６】
駆動機構１５は、ハンドル軸６ａに設けられたドライブギヤ１６と、このドライブギヤ１６に噛合するピニオンギヤ１７とを備えており、このピニオンギヤ１７には、ナット１８により前記ロータ３が固定されている。また、ピニオンギヤ１７の内部には、前端にドラグ機構１９を介して前記スプール５を取り付けたスプール軸５ａが挿通されている。このスプール軸５ａの後端部には、前記ピニオンギヤ１７によって回転駆動されるオシレート機構２０の螺旋軸２１の螺旋溝２１ａに係合する摺動子２２が取り付けられている。
【００１７】
これにより、ハンドル６を巻き取り操作することで、前記ドライブギヤ１６及びピニオンギヤ１７を介してロータ３が回転駆動され、かつオシレート機構２０によってスプール５が前後に往復駆動され、釣糸は、ラインローラ１２を介してスプール５に均等に巻回される。
【００１８】
また、リール本体２とピニオンギヤ１７との間には、一方向クラッチ２４が配設されており、リール本体２に設けられた切換えレバー２５を切換え操作することで、ハンドル６の逆転方向の回転を阻止するよう構成されている。
【００１９】
前記一対のアーム部３ａの内、一方のアーム部側（本実施形態では、ラインローラ１２が設けられていない側のアーム部側）には、支持部材９を釣糸巻き取り位置と釣糸放出位置とに振分け保持する振分け付勢バネを具備し、釣糸放出位置に反転された支持部材９を、ハンドル６の巻き取り操作によって、釣糸巻き取り位置へ反転復帰させる反転復帰機構３０が配置されている。以下、この反転復帰機構３０の構成について説明する。
【００２０】
反転復帰機構３０は、アーム部３ａ内において、略中央部分で支軸３１ａを介して揺動可能に支持され、軸方向に延出する中空部３１ｂを具備した揺動部材３１と、この揺動部材３１の中空部３１ｂに収容される連結部材３３と、連結部材３３に形成されるフランジ３３ａと中空部３１ｂの底部との間に介在されるバネ部材（振分け付勢バネ）３５とを有している。
【００２１】
前記連結部材３３は、揺動部材３１の中空部３１ｂから突出しており、その突出した中間部分に前記フランジ３３ａが形成されると共に、その先端は図２に示すように、ロータと反対側に向けて屈曲形成されている。そして、連結部材３３の屈曲端部３３ｂは、前記支持部材９の支持部１０の径方向外方に取り付けられている。
【００２２】
また、前記支持部材９の支持部１０の周囲には、円弧状の長孔９ａが形成されており、この長孔９ａ内にアーム部３ａに形成された規制部３ｂが位置して、支持部材９の支持部１０に対する回動位置を規制している。すなわち、図３に示す釣糸巻き取り位置では、長孔９ａの一方の規制壁９ｂが規制部３ｂに当接し、図４に示す釣糸放出位置では、長孔９ａの他方の規制壁９ｃが規制部３ｂに当接して、支持部材９の支持部１０に対する回動位置が規制されている。
【００２３】
この場合、前記支軸３１ａを介して揺動可能に支持される揺動部材３１、この揺動部材３１に一部が収容される連結部材３３、及び連結部材３３のフランジ３３ａと揺動部材の中空部３１ｂの底部との間に介在される振分け付勢バネ３５は、支持部材９が図３に示す釣糸巻き取り位置と、図４に示す釣糸放出位置との間で回動された際、振分け付勢バネ３５のデッドポイントを超えて、支持部材９が両方の位置で振分け保持されるような配置関係となっている。
【００２４】
なお、前記支持部材９の支持部１０の周囲には、軽量化が図れるように、円弧状の開口９ｄが形成されている。
【００２５】
また、反転復帰機構３０は、リール本体２に形成された当接部２Ａに対して、スプール軸に沿った方向で、当接可能な位置に移動される作動部材４０を有している。この作動部材４０は、一端側がスプール軸方向に向けて屈曲形成（屈曲部４０ａを形成する）されており、他端側が反対方向に向けて屈曲形成（屈曲部４０ｂを形成する）されている。
【００２６】
そして、作動部材４０の屈曲部４０ｂは、前記揺動部材３１の下端部（支軸３１ａよりも下方）において、連結部材３３が挿通される軸方向とオフセットした位置で回転可能に連結されている。
【００２７】
このように、作動部材４０の他端部を、揺動部材３１の下端部に回転可能に連結することで、支持部材９が釣糸放出位置に反転すると、揺動部材３１の揺動に伴って、一端側（屈曲部４０ａ）は、図３に示す状態から図４に示すように、スプール軸方向に沿ってリール本体側に移動して前記当接部２Ａに当接可能な位置に臨むようになる。
【００２８】
この結果、図４に示す状態において、ハンドル６を巻き取り操作すると、ロータ３の回転によって屈曲部４０ａが当接部２Ａによってキックされ、図４に示す状態の揺動部材３１は、振分け付勢バネ３５のデッドポイントを超えて、図３に示す状態に振分け保持される。
【００２９】
以上のように、支持部材９を釣糸放出位置に反転させた際、リール本体２側に設けられた反転復帰用の当接部２Ａに当接可能な位置に移動する作動部材４０は、揺動部材３１の揺動に伴って、リール本体２側に移動できるように揺動部材３１に回転可能に連結されている。すなわち、作動部材４０は、他端側の屈曲部４０ｂが揺動部材３１に回転可能に連結されて、支持部材９が釣糸放出位置へ反転した際に、一端側の屈曲部４０ａがリール本体２に向けて移動するだけであるため、従来のように、アーム部３ａ内において、作動部材を、ロータの回転平面と平行な面内に回動可能に支持する部分が不要となり、これによりアーム部３ａの小型、軽量化が図れるようになる。
【００３０】
また、作動部材４０の他端側の屈曲部４０ｂを、揺動部材３１に対して回転可能に連結するだけで良いため、部品点数の削減、及び組み込み作業性の向上が図れる。
【００３１】
なお、上記した構成では、アーム部３ａ内に、作動部材４０の一端側（屈曲部４０ａ）がリール本体側に移動した際に、その移動を案内する案内部４５を形成しておくことが好ましい。このような案内部４５は、図３及び図４に示すように、スプール軸方向に沿って延出し、屈曲部４０ａを移動可能に案内する長溝として構成することが可能である。
【００３２】
このように、案内部４５を形成しておくことで、作動部材４０の当接部２Ａに対する移動が確実になり、安定した反転復帰作用を実現することが可能となる。
【００３３】
以上、本発明の実施形態について説明したが、本発明は、上記した実施形態に限定されることはなく、種々変形することが可能である。上記した実施形態では、アーム部内に配設される作動部材４０は、支持部材９を釣糸放出位置から釣糸巻き取り位置に自動復帰させる反転復帰機構３０の構成要素として説明したが、当接部２Ａに当接させて、デッドポイントを超えない形状設定として釣糸巻き取り方向のロータ３の回転を規制するロータ回転規制機構として機能させることも可能である。
【図面の簡単な説明】
【００３４】
【図１】本発明に係る魚釣用スピニングリールの一実施形態を示す図であり、内部構成を示す側面図。
【図２】図１の主要部であるロータのアーム部の内部構成を示す図。
【図３】支持部材を釣糸巻き取り位置に反転させた状態を示す図。
【図４】支持部材を釣糸放出位置に反転させた状態を示す図。
【符号の説明】
【００３５】
１  魚釣用スピニングリール
２  リール本体
２Ａ  当接部
３  ロータ
３ａ  アーム部
５  スプール
９  支持部材
３０  反転復帰機構
３１  揺動部材
３３  連結部材
３５  振分け付勢バネ
４０  作動部材
４５  案内部
【図１】
2009142225.tif 000003
【図２】
2009142225.tif 000004
【図３】
2009142225.tif 000005
【図４】
2009142225.tif 000006